Podtech/llm-jp-corpus-v4-ja_patent huggingface dataset:
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ゲームのプレイが可能な端末と、該端末と通信接続が可能なサーバ装置とを備え、該端末を操作するプレイヤがゲーム内で利用可能なオブジェクトを付与するためのオブジェクト付与システムであって、
プレイヤのゲームの進行状況に応じて、複数の候補オブジェクトから付与の対象となるオブジェクトを決定するための確率を変動させる確率変動手段と、
変動した確率にしたがって、複数の候補オブジェクトの中から抽選を行い、付与の対象となるオブジェクトを決定するオブジェクト決定手段と、
決定されたオブジェクトをプレイヤに付与するオブジェクト付与手段と
を備える、オブジェクト付与システム。
【請求項２】
確率変動手段が、プレイヤのレベルに応じて、複数の候補オブジェクトから付与の対象となるオブジェクトを決定する、請求項１に記載のオブジェクト付与システム。
【請求項３】
オブジェクトには、希少度を表すランクが設定されており、
確率変動手段が、プレイヤのレベルが高くなるにつれて、希少度の高いランクのオブジェクトが決定される確率が高くなるように、確率を変動させる、請求項２に記載のオブジェクト付与システム。
【請求項４】
ゲームのプレイが可能な端末と、該端末と通信接続が可能なサーバ装置とを備え、該端末を操作するプレイヤがゲーム内で利用可能なオブジェクトを付与するためのオブジェクト付与システムにおいて実行されるオブジェクト付与方法であって、
プレイヤのゲームの進行状況に応じて、複数の候補オブジェクトから付与の対象となるオブジェクトを決定するための確率を変動するステップと、
変動した確率にしたがって、複数の候補オブジェクトの中から抽選を行い、付与の対象となるオブジェクトを決定するステップと、
決定されたオブジェクトをプレイヤに付与するステップと
実行する、オブジェクト付与方法。
【請求項５】
ゲームのプレイが可能な端末と通信接続が可能であり、端末を操作するプレイヤに、ゲーム内で利用可能なオブジェクトを付与するためのコンピュータ装置であって、
プレイヤのゲームの進行状況に応じて、複数の候補オブジェクトから付与の対象となるオブジェクトを決定するための確率を変動させる確率変動手段と、
変動した確率にしたがって、複数の候補オブジェクトの中から抽選を行い、付与の対象となるオブジェクトを決定するオブジェクト決定手段と、
決定されたオブジェクトをプレイヤに付与するオブジェクト付与手段と
を備える、コンピュータ装置。
【請求項６】
ゲームのプレイが可能な端末と通信接続が可能であり、端末を操作するプレイヤに、ゲーム内で利用可能なオブジェクトを付与するためのコンピュータ装置において実行されるプログラムであって、
コンピュータ装置を、
プレイヤのゲームの進行状況に応じて、複数の候補オブジェクトから付与の対象となるオブジェクトを決定するための確率を変動させる確率変動手段と、
変動した確率にしたがって、複数の候補オブジェクトの中から抽選を行い、付与の対象となるオブジェクトを決定するオブジェクト決定手段と、
決定されたオブジェクトをプレイヤに付与するオブジェクト付与手段
として機能させる、プログラム。
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
遊技媒体が進入可能であり、遊技者にとって有利な第１状態と該第１状態よりも遊技者にとって不利な第２状態とに変化可能な可変入賞手段を備え、遊技者にとって有利な有利状態に制御可能な遊技機であって、
前記有利状態に制御されたときに、前記可変入賞手段を第２状態から第１状態に制御する遊技ラウンドを所定回数実行可能であり、
遊技の進行を制御する遊技制御手段と、
前記遊技制御手段が送信する指令情報に基づいて演出を制御する演出制御手段とを備え、
前記遊技ラウンドは、前記可変入賞手段を第１の状態に第１期間制御する第１単位遊技ラウンドと、前記可変入賞手段を第１の状態に前記第１期間よりも短い第２期間制御する第２単位遊技ラウンドとを含み、
前記有利状態において、前記第１単位遊技ラウンドの実行後に前記第２単位遊技ラウンドを実行することが可能であり、
前記遊技制御手段は、前記有利状態の進行に応じて、前記第１単位遊技ラウンドを実行することを特定可能な第１単位遊技指令情報と、前記第２単位遊技ラウンドを実行することを特定可能な第２単位遊技指令情報とのいずれかの単位遊技指令情報と、前記可変入賞手段への遊技媒体の進入に基づく入賞通知情報とを、送信可能であり、
前記演出制御手段は、第１単位遊技指令情報の受信に基づいて所定報知を行ない、前記入賞通知情報の受信に基づいて特定報知を行ない、
前記演出制御手段は、
前記有利状態において、遊技者に付与された利益に関する利益特定報知を前記特定報知として実行可能であるとともに、実行中の前記遊技ラウンドの回数を特定するラウンド数特定報知を前記所定報知として実行可能であり、
前記有利状態において前記第１単位遊技ラウンドの実行後に前記第２単位遊技ラウンドを実行する場合、該第２単位遊技ラウンドでは、前記利益特定報知を実行せず、該第１単位遊技ラウンドにおける前記ラウンド数特定報知を継続する、遊技機。
【手続補正２】
【補正対象書類名】明細書
【補正対象項目名】０００７
【補正方法】変更
【補正の内容】
【０００７】
（Ａ）  遊技媒体が進入可能であり、遊技者にとって有利な第１状態と該第１状態よりも遊技者にとって不利な第２状態とに変化可能な可変入賞手段を備え、遊技者にとって有利な有利状態に制御可能な遊技機であって、
前記有利状態に制御されたときに、前記可変入賞手段を第２状態から第１状態に制御する遊技ラウンドを所定回数実行可能であり、
遊技の進行を制御する遊技制御手段と、
前記遊技制御手段が送信する指令情報に基づいて演出を制御する演出制御手段とを備え、
前記遊技ラウンドは、前記可変入賞手段を第１の状態に第１期間制御する第１単位遊技ラウンドと、前記可変入賞手段を第１の状態に前記第１期間よりも短い第２期間制御する第２単位遊技ラウンドとを含み、
前記有利状態において、前記第１単位遊技ラウンドの実行後に前記第２単位遊技ラウンドを実行することが可能であり、
前記遊技制御手段は、前記有利状態の進行に応じて、前記第１単位遊技ラウンドを実行することを特定可能な第１単位遊技指令情報と、前記第２単位遊技ラウンドを実行することを特定可能な第２単位遊技指令情報とのいずれかの単位遊技指令情報と、前記可変入賞手段への遊技媒体の進入に基づく入賞通知情報とを、送信可能であり、
前記演出制御手段は、第１単位遊技指令情報の受信に基づいて所定報知を行ない、前記入賞通知情報の受信に基づいて特定報知を行ない、
前記演出制御手段は、
前記有利状態において、遊技者に付与された利益に関する利益特定報知を前記特定報知として実行可能であるとともに、実行中の前記遊技ラウンドの回数を特定するラウンド数特定報知を前記所定報知として実行可能であり、
前記有利状態において前記第１単位遊技ラウンドの実行後に前記第２単位遊技ラウンドを実行する場合、該第２単位遊技ラウンドでは、前記利益特定報知を実行せず、該第１単位遊技ラウンドにおける前記ラウンド数特定報知を継続する。
（１）  遊技者にとって有利な第１の状態（開状態）と該第１の状態よりも遊技者にとって不利な第２の状態（閉状態）とに変化可能な可変入賞手段（特別可変入賞球装置２０）について、遊技者にとって有利な特定遊技状態（大当り遊技状態）に制御されたときに、第２の状態から第１の状態に制御する遊技ラウンド（ラウンド）を所定回数（たとえば、１〜１６回）実行させる遊技機（パチンコ遊技機１）であって、
遊技の進行を制御する遊技制御手段（遊技制御用マイクロコンピュータ５６０）と、
該遊技制御手段が送信する指令情報（演出制御コマンド）に基づいて演出を制御する演出制御手段（演出制御用マイクロコンピュータ１００）とを備え、
前記遊技ラウンドは、第１期間継続する第１単位遊技ラウンド（長開放ラウンド）と、該第１期間よりも短い第２期間継続する第２単位遊技ラウンド（短開放ラウンド）とを含み、
前記遊技制御手段は、前記特定遊技状態の進行に応じて、前記第１単位遊技ラウンドを実行することを特定可能な第１単位遊技指令情報（開放中１指定コマンド）と、前記第２単位遊技ラウンドを実行することを特定可能な第２単位遊技指令情報（開放中２指定コマンド）とのいずれかの単位遊技指令情報（開放中指定コマンド）を送信可能であり（図７、図１４のＳ４０６，Ｓ４０７）、
前記演出制御手段は、第１単位遊技指令情報を受信したことに基づいて所定の報知（ラウンド数表示の更新表示）を行なう（図８、図１９のＳ９３２，Ｓ９３５）。
【手続補正書】
【提出日】平成30年6月8日(2018.6.8)
【手続補正１】
【補正対象書類名】明細書
【補正対象項目名】０００７
【補正方法】変更
【補正の内容】
【０００７】
本発明の第２の観点にかかる携帯端末は、
表示部と、
緊急速報を受信すると、動作モードを安否確認モードに切り替え、他の携帯端末の位置情報の送信を前記他の携帯端末へ要求する位置情報送信要求を送信することにより、前記他の携帯端末が前記位置情報送信要求に応じて送信する前記他の携帯端末の位置情報を取得し、取得した前記他の携帯端末の位置情報の履歴に基づいて、前記他の携帯端末のユーザの安否を判定する機能を有する安否情報提供装置から受信した前記他の携帯端末のユーザの安否を示す安否情報および前記他の携帯端末のユーザの位置を示す位置情報を前記表示部に表示させる制御部と、を備える。
【手続補正２】
【補正対象書類名】特許請求の範囲
【補正対象項目名】全文
【補正方法】変更
【補正の内容】
【特許請求の範囲】
【請求項１】
第１携帯端末のユーザへ第２携帯端末のユーザの安否に関する情報を提供する安否確認情報提供装置であって、
少なくとも前記第２携帯端末の位置情報の送信を要求する位置情報送信要求を送信することにより、前記第２携帯端末が前記位置情報送信要求に応じて送信する前記第２携帯端末の位置情報を取得する位置情報取得手段と、
緊急速報を受信する緊急速報受信手段と、
前記緊急速報受信手段により前記緊急速報が受信された時点の前後における前記位置情報の履歴に基づいて、前記第２携帯端末のユーザの安否を判定する判定手段と、
前記第１携帯端末から前記判定手段による判定結果を含む安否情報と前記第２携帯端末の位置情報との取得を要求する安否情報取得要求を受信すると、前記安否情報取得要求の送信元である前記第１携帯端末の端末識別情報が予めメモリに記憶された端末識別情報と一致するか否かを判定し、前記第１携帯端末の端末識別情報が前記メモリに記憶された端末識別情報と一致すると判定すると、前記安否情報と前記第２携帯端末の位置情報とを、前記第１携帯端末へ送信可能とする安否情報通知手段と、を備える、
安否確認情報提供装置。
【請求項２】
表示部と、
緊急速報を受信すると、動作モードを安否確認モードに切り替え、他の携帯端末の位置情報の送信を前記他の携帯端末へ要求する位置情報送信要求を送信することにより、前記他の携帯端末が前記位置情報送信要求に応じて送信する前記他の携帯端末の位置情報を取得し、取得した前記他の携帯端末の位置情報の履歴に基づいて、前記他の携帯端末のユーザの安否を判定する機能を有する安否情報提供装置から受信した前記他の携帯端末のユーザの安否を示す安否情報および前記他の携帯端末のユーザの位置を示す位置情報を前記表示部に表示させる制御部と、を備える、
携帯端末。
【請求項３】
第１携帯端末のユーザへ第２携帯端末のユーザの安否に関する情報を提供する安否確認情報提供方法であって、
少なくとも前記第２携帯端末の位置情報の送信を要求する位置情報送信要求を送信することにより、前記第２携帯端末が前記位置情報送信要求に応じて送信する前記第２携帯端末の位置情報を取得するステップと、
緊急速報を受信するステップと、
前記緊急速報が受信された時点の前後における前記位置情報の履歴に基づいて、前記第２携帯端末のユーザの安否を判定するステップと、
前記第１携帯端末から判定結果を含む安否情報と前記第２携帯端末の位置情報との取得を要求する安否情報取得要求を受信すると、前記安否情報取得要求の送信元である前記第１携帯端末の端末識別情報が予めメモリに記憶された端末識別情報と一致するか否かを判定し、前記第１携帯端末の端末識別情報が前記メモリに記憶された端末識別情報と一致すると判定すると、前記安否情報と前記第２携帯端末の位置情報とを、前記第１携帯端末へ送信可能とするステップと、を含む、
安否確認情報提供方法。
【請求項４】
コンピュータを、
少なくとも第２携帯端末の位置情報の送信を要求する位置情報送信要求を送信することにより、前記第２携帯端末が前記位置情報送信要求に応じて送信する前記第２携帯端末の位置情報を取得する位置情報取得手段、
緊急速報を受信する緊急速報受信手段、
前記緊急速報受信手段により前記緊急速報が受信された時点の前後における前記位置情報の履歴に基づいて、前記第２携帯端末のユーザの安否を判定する判定手段、
第１携帯端末から前記判定手段による判定結果を含む安否情報と前記第２携帯端末の位置情報との取得を要求する安否情報取得要求を受信すると、前記安否情報取得要求の送信元である前記第１携帯端末の端末識別情報が予めメモリに記憶された端末識別情報と一致するか否かを判定し、前記第１携帯端末の端末識別情報が前記メモリに記憶された端末識別情報と一致すると判定すると、前記安否情報と前記第２携帯端末の位置情報とを、前記第１携帯端末へ送信可能とする安否情報通知手段、
として機能させるためのプログラム。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御されたときに、遊技ラウンドを所定回数実行可能な遊技機であって、
遊技の進行を制御する遊技制御手段と、
前記遊技制御手段から送信されるコマンドにもとづいて演出の実行を制御する演出制御手段とを備え、
前記遊技制御手段は、識別情報の可変表示時間を示す可変表示時間コマンドおよび所定コマンドを送信するコマンド送信手段を含み、
前記演出制御手段は、前記可変表示時間コマンドにもとづいて識別情報の可変表示を実行する可変表示実行手段を含み、
前記可変表示実行手段は、前記可変表示時間コマンドと前記所定コマンドとが示す情報の整合が取れないときには識別情報の可変表示を制限可能であり、
前記遊技ラウンドは、可変入賞手段を遊技者にとって有利な第１の状態に第１期間制御する第１単位遊技ラウンドと、前記可変入賞手段を前記第１の状態に前記第１期間よりも短い第２期間制御する第２単位遊技ラウンドとを含み、
前記演出制御手段は、遊技者に付与された利益に関する利益特定報知を実行可能な利益特定報知実行手段を含み、
前記利益特定報知実行手段は、前記第２単位遊技ラウンド中に前記利益特定報知を制限する
ことを特徴とする遊技機。
【手続補正２】
【補正対象書類名】明細書
【補正対象項目名】０００１
【補正方法】変更
【補正の内容】
【０００１】
本発明は、識別情報の可変表示を行い、遊技者にとって有利な有利状態に制御されたときに、遊技ラウンドを所定回数実行可能な遊技機に関する。
【手続補正３】
【補正対象書類名】明細書
【補正対象項目名】０００９
【補正方法】変更
【補正の内容】
【０００９】
（手段Ａ）本発明による遊技機は、識別情報の可変表示を行い、遊技者にとって有利な有利状態（例えば、大当り遊技状態）に制御されたときに、遊技ラウンドを所定回数実行可能な遊技機であって、遊技の進行を制御する遊技制御手段（例えば、遊技制御用マイクロコンピュータ５６０）と、遊技制御手段から送信されるコマンドにもとづいて演出の実行を制御する演出制御手段（例えば、演出制御用マイクロコンピュータ１００）とを備え、遊技制御手段は、識別情報の可変表示時間を示す可変表示時間コマンド（例えば、変動パターンコマンド）および所定コマンド（例えば、背景指定コマンド、表示結果指定コマンド）を送信するコマンド送信手段（例えば、遊技制御用マイクロコンピュータ５６０におけるステップＳ６０，Ｓ１０２，Ｓ１０７〜Ｓ１０９を実行する部分）を含み、演出制御手段は、可変表示時間コマンドにもとづいて識別情報の可変表示を実行する可変表示実行手段（例えば、演出制御用マイクロコンピュータ１００におけるＳ８０１〜Ｓ８０３を実行する部分）を含み、可変表示実行手段は、可変表示時間コマンドと所定コマンドとが示す情報の整合が取れないときには識別情報の可変表示を制限可能であり（例えば、ステップＳ８１１がＹのときにステップＳ８１３の処理により実行される演出図柄変動開始処理において、表示結果指定コマンドおよび背景指定コマンドを受信しても（ステップＳ２６０２のＹ，Ｓ２６０４のＹ）、変動パターンコマンドと表示結果指定コマンドとが整合しなければ（ステップＳ２６０６のＮ）、非実行フラグがセットされて（ステップＳ２６０７）ステップＳ８００１〜Ｓ８００８を実行しない）、遊技ラウンドは、可変入賞手段を遊技者にとって有利な第１の状態に第１期間（例えば、２９秒間の長開放）制御する第１単位遊技ラウンド（例えば、第１確変大当りの第１〜第１６回目の各開放回、第２確変大当りの第１〜第１０回目の各開放回）と、可変入賞手段を第１の状態に第１期間よりも短い第２期間（例えば、０．５秒間の短開放）制御する第２単位遊技ラウンド（例えば、第２確変大当りの第１１〜第１６回目の各開放回）とを含み、演出制御手段は、遊技者に付与された利益に関する利益特定報知（例えば、演出表示装置９における出球表示）を実行可能な利益特定報知実行手段を含み、利益特定報知実行手段は、第２単位遊技ラウンド中に利益特定報知を制限する（例えば、第２確変大当りの第１１〜第１６回目の各開放回において、演出制御用マイクロコンピュータ１００が開放中２指定コマンドを受信したときには、実行されるラウンドにおいて、入賞カウント指定コマンドを受信しても、出球表示は更新表示されない：図３９（Ｂ）参照）ことを特徴とする。そのような構成によれば、状況に応じた処理を実現することができる。また、遊技の興趣の低下を防ぐことができる。
（手段１）本発明による他の遊技機は、各々を識別可能な複数種類の識別情報（例えば、第１特別図柄または第２特別図柄）の可変表示を開始させた後に表示結果を導出表示する可変表示手段（例えば、第１特別図柄表示器８ａまたは第２特別図柄表示器８ｂ）に予め定められた特定表示結果（例えば、大当り図柄）が導出表示されたときに、遊技者にとって有利な特定遊技状態（例えば、大当り遊技状態）に制御する遊技機であって、遊技の進行を制御する遊技制御手段（例えば、遊技制御用マイクロコンピュータ５６０）と、遊技制御手段から送信されるコマンドにもとづいて演出の実行を制御する演出制御手段（例えば、演出制御用マイクロコンピュータ１００）とを備え、遊技制御手段は、識別情報の可変表示時間を示す可変表示時間コマンド（例えば、変動パターンコマンド）および所定コマンド（例えば、背景指定コマンド、表示結果指定コマンド）を送信するコマンド送信手段（例えば、遊技制御用マイクロコンピュータ５６０におけるステップＳ６０，Ｓ１０２，Ｓ１０７〜Ｓ１０９を実行する部分）と、通常遊技状態（例えば、通常状態）と、該通常遊技状態よりも短い時間の識別情報の可変表示が実行されやすい有利遊技状態（例えば、確変状態）とに制御する状態制御手段（例えば、遊技制御用マイクロコンピュータ５６０におけるステップＳ１４４，Ｓ１６７を実行する部分）とを備え、演出制御手段は、可変表示時間コマンドにもとづいて識別情報の可変表示を実行する可変表示実行手段（例えば、演出制御用マイクロコンピュータ１００におけるＳ８０１〜Ｓ８０３を実行する部分）を備え、可変表示実行手段は、通常遊技状態に制御されているときに、可変表示時間コマンドが正常に受信された場合に、所定コマンドが正常に受信されなくても、識別情報の可変表示を実行する（例えば、ステップＳ２６０１のＮである場合、表示結果指定コマンドおよび背景指定コマンドを受信したか否かにかかわらずステップＳ８００１〜Ｓ８００８を実行する）一方、有利遊技状態に制御されているときに、可変表示時間コマンドが正常に受信された場合に、所定コマンドが正常に受信されたことを条件に、識別情報の可変表示を実行し（例えば、ステップＳ２６０１のＹである場合、表示結果指定コマンドおよび背景指定コマンドを受信したことを条件に（ステップＳ２６０２のＹ，Ｓ２６０４のＹ）ステップＳ８００１〜Ｓ８００８を実行する）、有利遊技状態に制御されているときに、可変表示時間コマンドと所定コマンドとが受信された場合であっても、可変表示時間コマンドと所定コマンドとが示す情報の整合が取れないときには識別情報の可変表示を実行しないことを特徴とする。そのような構成によれば、状況に応じた処理を実現することができる。
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
遊技に必要な電力の供給を行う電源手段と、前記遊技を司る主制御手段と、前記主制御手段と通信可能に接続され、前記主制御手段からのメインコマンドに応じた制御処理を行う演出制御手段と、を備え、
前記主制御手段は、
電力の供給開始に伴い主制御開始処理を実行する主制御開始処理実行手段と、
前記制御開始処理に対し遊技進行のための遊技進行割込み処理を所定の周期で実行する遊技進行割込み処理実行手段と、
遊技領域に発射された遊技媒体が前記遊技領域を流下して所定の始動領域を通過したことに基づき、
前記遊技進行割込み処理において、大当り抽選に関係する乱数を取得する乱数取得手段と、大当り抽選判定を行う大当り判定手段と、演出に係る変動時間を規定する変動パターンの決定を行うことが可能な変動パターン決定手段と、を備え、
大当りとなった場合に通常よりも遊技者に有利な特別遊技を実行し、
所定のメインコマンド送信条件が成立した場合に、前記演出制御手段に前記メインコマンドを送信し、
前記演出制御手段は、
前記主制御手段からの前記メインコマンドを受信可能であり、
電力の供給開始に伴い開始されるサブメイン初期設定処理後に実行され、割込み許可の後にメインループ処理を行うメイン処理と、前記メイン処理に対して所定の周期で実行されるタイマ割込み処理と、前記メインコマンドの受信に伴い割込みで行われるメインコマンド受信処理と、を実行可能であり、
特別図柄の変動開始条件が成立したときに実行される前記大当り抽選判定および前記変動パターンの決定を実行した結果に基づき前記主制御手段より送信される図柄変動開始時メインコマンドおよび、前記始動領域を通過したことに基づき送信される事前情報メインコマンドに基づき、予告演出内容の決定のための演出内容決定抽選を実行可能であるとともに、１回の特別図柄の変動中に複数の予告演出が実行される場合において複数回の前記演出内容決定抽選に分けて予告演出内容の決定を行う場合を有することを特徴とするぱちんこ遊技機。
【手続補正２】
【補正対象書類名】明細書
【補正対象項目名】０００５
【補正方法】変更
【補正の内容】
【０００５】
上記課題を解決するために本発明は、遊技に必要な電力の供給を行う電源手段と、前記遊技を司る主制御手段と、前記主制御手段と通信可能に接続され、前記主制御手段からのメインコマンドに応じた制御処理を行う演出制御手段と、を備え、
前記主制御手段は、
電力の供給開始に伴い主制御開始処理を実行する主制御開始処理実行手段と、
前記制御開始処理に対し遊技進行のための遊技進行割込み処理を所定の周期で実行する遊技進行割込み処理実行手段と、
遊技領域に発射された遊技媒体が前記遊技領域を流下して所定の始動領域を通過したことに基づき、
前記遊技進行割込み処理において、大当り抽選に関係する乱数を取得する乱数取得手段と、大当り抽選判定を行う大当り判定手段と、演出に係る変動時間を規定する変動パターンの決定を行うことが可能な変動パターン決定手段と、を備え、
大当りとなった場合に通常よりも遊技者に有利な特別遊技を実行し、
所定のメインコマンド送信条件が成立した場合に、前記演出制御手段に前記メインコマンドを送信し、
前記演出制御手段は、
前記主制御手段からの前記メインコマンドを受信可能であり、
電力の供給開始に伴い開始されるサブメイン初期設定処理後に実行され、割込み許可の後にメインループ処理を行うメイン処理と、前記メイン処理に対して所定の周期で実行されるタイマ割込み処理と、前記メインコマンドの受信に伴い割込みで行われるメインコマンド受信処理と、を実行可能であり、
特別図柄の変動開始条件が成立したときに実行される前記大当り抽選判定および前記変動パターンの決定を実行した結果に基づき前記主制御手段より送信される図柄変動開始時メインコマンドおよび、前記始動領域を通過したことに基づき送信される事前情報メインコマンドに基づき、予告演出内容の決定のための演出内容決定抽選を実行可能であるとともに、１回の特別図柄の変動中に複数の予告演出が実行される場合において複数回の前記演出内容決定抽選に分けて予告演出内容の決定を行う場合を有することを特徴とするぱちんこ遊技機である。
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
半導体素子、緩衝部材、および回路基板を準備する工程を備え、
前記半導体素子は、第１面および前記第１面の反対側に位置する第２面を有し、前記第１面上に形成されている少なくとも１つの第１電極および前記第２面上に形成されている第２電極とを含み、
粒径が１００ｎｍ以下である焼結性金属粒子を含む第１接合部材および第２接合部材を準備する工程と、
前記半導体素子の前記第１電極と前記緩衝部材との間に前記第１接合部材を配置し、前記半導体素子の前記第２電極と前記回路基板との間に前記第２接合部材とを配置して、前記緩衝部材、前記第１接合部材、前記半導体素子、前記第２接合部材および前記回路基板が順に積層された積層体を準備する工程と、
前記第１接合部材および前記第２接合部材が前記焼結性金属粒子の焼結温度未満の第１温度にある前記積層体の前記緩衝部材と前記回路基板との間に第１圧力を印加する工程と、
前記第１圧力を印加する工程の後に、前記第１接合部材および前記第２接合部材が前記焼結性金属粒子の焼結温度以上の第２温度にある前記積層体の前記緩衝部材と前記回路基板との間に前記第１圧力越えの第２圧力を印加して、前記第１接合部材から第１焼結金属層を形成し、かつ前記第２接合部材から第２焼結金属層を形成する工程とをさらに備える、半導体装置の製造方法。
【請求項２】
前記第１接合部材および前記第２接合部材は第１有機高分子を含み、
前記第１接合部材および前記第２接合部材を準備する工程では、
前記第１有機高分子よりも分子量の小さい第２有機高分子により被覆された前記焼結性金属粒子を含む第３接合部材および第４接合部材を準備する工程と、
前記第３接合部材および前記第４接合部材を前記焼結温度未満の第３温度に加熱して前記第２有機高分子の少なくとも一部を前記第１有機高分子に変換する工程とを含む、請求項１に記載の半導体装置の製造方法。
【請求項３】
前記第１温度は１３５℃以上１５５℃以下であり、前記第１圧力は４ＭＰａ以上５ＭＰａ以下であり、
前記第２温度は２４５℃以上２７５℃以下であり、前記第２圧力は２０ＭＰａ以上３０ＭＰａ以下の圧力である、請求項１または２に記載の半導体装置の製造方法。
【請求項４】
前記第１焼結金属層および前記第２焼結金属層を形成する工程では、前記第１焼結金属層および前記第２焼結金属層の各厚みが３０μｍ以上５０μｍ以下とされる、請求項１〜３のいずれか１項に記載の半導体装置の製造方法。
【請求項５】
前記緩衝部材はリードフレームを有する、請求項１〜４のいずれか１項に記載の半導体装置の製造方法。
【請求項６】
前記緩衝部材は板状部材を有し、
前記焼結金属層を形成する工程の後に、前記板状部材に配線部材をボンディングする工程をさらに備える、請求項１〜４のいずれか１項に記載の半導体装置の製造方法。
【手続補正２】
【補正対象書類名】明細書
【補正対象項目名】００１０
【補正方法】変更
【補正の内容】
【００１０】
本発明に係る半導体装置の製造方法は、半導体素子、緩衝部材、および回路基板を準備する工程を備える。半導体素子は、第１面および第１面の反対側に位置する第２面を有し、第１面上に形成されている少なくとも１つの第１電極および第２面上に形成されている第２電極とを含む。本発明に係る半導体装置の製造方法は、粒径が１００ｎｍ以下である焼結性金属粒子を含む第１接合部材および第２接合部材を準備する工程と、半導体素子の第１電極と緩衝部材との間に第１接合部材を配置し、半導体素子の第２電極と回路基板との間に第２接合部材とを配置して、緩衝部材、第１接合部材、半導体素子、第２接合部材および回路基板が順に積層された積層体を準備する工程と、第１接合部材および第２接合部材が焼結性金属粒子の焼結温度未満の第１温度にある積層体の緩衝部材と回路基板との間に第１圧力を印加する工程と、第１圧力を印加する工程の後に、第１接合部材および第２接合部材が焼結性金属粒子の焼結温度以上の第２温度にある積層体の緩衝部材と回路基板との間に第１圧力越えの第２圧力を印加して、第１接合部材から第１焼結金属層を形成し、かつ第２接合部材から第２焼結金属層を形成する工程とをさらに備える。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
導電体を含むバックプレーンと、
前記バックプレーンに配置され、前記導電体と接触する複数の発光素子(LEE)であって、前記複数のLEEが、公称動作条件下で通電されるときに公称光出力を提供するように構成され、前記複数のLEEの各々は独立して通電することができ、前記複数のLEEの各々と関連付けられる前記公称動作条件の各々が、対応する公称駆動電流を含む、複数のLEEと、
前記導電体を介して前記複数のLEEに動作可能に結合される調光制御システムであって、
調光信号に基づき2進の調光コードを決定することであって、前記2進の調光コードは複数のビットを含み、前記複数のLEEの各々が前記調光コードの対応するビットに関連付けられる、ことと、
前記調光コードの前記対応するビットのビット値に基づき、前記複数のLEEの各々に前記対応する公称駆動電流を提供し、前記複数のLEEの各々を個々に通電することと
を行うように構成される調光制御システムと
を備える、照明デバイス。
【請求項２】
前記調光制御システムが、前記導電体と直接結合され、前記バックプレーンに隣接して配置される、請求項1に記載の照明デバイス。
【請求項３】
前記調光制御システムは、
前記調光制御システムにより前記複数のLEEのうちの1つまたは複数に提供される1つまたは複数の駆動電流に基づいて、前記複数のLEEの動作条件を推測することと、
(i)前記調光コードの前記対応するビットの前記ビット値と、(ii)前記推測した動作条件と、(iii)前記複数のLEEの光出力および動作条件間の所定の関連付けと、に基づき前記複数のLEEの各々の前記駆動電流を制御することと
を行うようにさらに構成される、請求項1に記載の照明デバイス。
【請求項４】
前記複数のLEEの1つまたは複数の、1つまたは複数の感知された動作条件の指標を提供するように構成される1つまたは複数のセンサをさらに備え、
前記調光制御システムは、(i)前記調光コードの前記対応するビットの前記ビット値と、(ii)前記感知された動作条件および前記公称光出力と、前記LEEのグループの前記公称動作条件と、に基づき前記複数のLEEの各々の駆動電流を制御するようにさらに構成される、請求項1に記載の照明デバイス。
【請求項５】
前記1つまたは複数の感知された動作条件が、1つまたは複数の動作温度を含む、請求項4に記載の照明デバイス。
【請求項６】
前記1つまたは複数の感知された動作条件が、前記複数のLEEの1つまたは複数により発せられる光の1つまたは複数の特性を含む、請求項4に記載の照明デバイス。
【請求項７】
前記光の1つまたは複数の特性は、放射フラックスを含む、請求項6に記載の照明デバイス。
【請求項８】
前記光の1つまたは複数の特性は、光束を含む、請求項6に記載の照明デバイス。
【請求項９】
前記光の1つまたは複数の特性は、色度を含む、請求項6に記載の照明デバイス。
【請求項１０】
前記複数のLEEの異なるLEEは、前記対応する公称動作条件において、異なる光量を提供する、請求項1に記載の照明デバイス。
【請求項１１】
前記複数のLEEの異なるLEEは、前記対応する公称動作条件において、異なる発光パターンを提供する、請求項1に記載の照明デバイス。
【請求項１２】
前記複数のLEEの各々の光出力は、前記照明デバイスの隣接する調光レベル間の前記照明デバイスの光出力の差に対応する、請求項1に記載の照明デバイス。
【請求項１３】
前記複数のLEEから光を受け取るように配置されるホモナイザをさらに備え、前記ホモナイザが、
前記複数のLEEから受け取った前記光を均質にし、
均質にされた光を提供するように構成され、
前記均質にされた光が、ホモジナイザにより前記複数のLEEから受け取った前記光より均質に見える、請求項1に記載の照明デバイス。
【請求項１４】
前記複数のLEEは、
第1の発光パターンを有する前記複数のLEEの前記公称光出力のうちの1つまたは複数、および
前記第1の発光パターンとは異なる第2の発光パターンを有する前記複数のLEEの前記公称光出力のうちの1つまたは複数
を提供するように配置される、請求項1に記載の照明デバイス。
【請求項１５】
前記第1の発光パターンが、営業時間の期間に事務所スペースの照明を提供するように構成され、前記第2の発光パターンが、閉店時間の期間に前記事務所スペースの照明を提供するように構成される、請求項14に記載の照明デバイス。
【請求項１６】
前記第1の発光パターンが作業照明用の空間照明を提供するように構成され、前記第2の発光パターンがムード照明用の空間照明を提供するように構成される、請求項14に記載の照明デバイス。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
電子基板上に材料を堆積させる材料堆積システムのノズルを清掃する方法において、
ガントリによって可動な堆積ヘッドの下方に電子基板を位置決めし、前記堆積ヘッドのチャンバーに材料を供給し、前記チャンバーから前記堆積ヘッドのピストンを突出させ、前記堆積ヘッドは先端にオリフィスを形成したニードルを有しており、前記堆積ヘッドのアクチュエーターによって前記チャンバーから材料を押し出し、前記ニードルオリフィスに前記電子基板に堆積すべき所望体積の材料を形成し、前記ニードルオリフィスの向かい合う側に配置され前記ニードルオリフィスの出口に向けて噴出する少なくとも２つのエアジェットによって空気の調時パルスを生成して前記所望体積の材料から微小液滴を生成し、該微小液滴を前記電子基板に向けて高速に加速して該微小液滴を堆積させるようにした材料堆積システムで堆積操作を行い、
前記ニードルオリフィスへ空気を供給して該ニードルオリフィスの出口を清掃することを含み、
前記ニードルオリフィスの出口の清掃は、前記堆積操作の後に、前記ニードルオリフィスの向かい合う側に配置され前記ニードルオリフィスの出口に向けて、前記ニードルオリフィスから前記電子基板へ向かう前記微小液滴の輸送方向に垂直な方向に噴出する少なくとも２つのエアジェットによって空気の調時パルスを生成することを含んで成る方法。
【請求項２】
前記ニードルオリフィスへ向けて空気のパルスを生成することは、前記少なくとも２つのエアジェットからの前記空気の調時パルスを同期させることを含む請求項１に記載の方法。
【請求項３】
前記材料は低粘性材料および高粘性材料を含む請求項１に記載の方法。
【請求項４】
前記微小液滴は、前記ニードルオリフィスに等しいか或いは前記ニードルオリフィスよりも小さい請求項３に記載の方法。
【請求項５】
前記ニードルの清掃時に前記堆積ヘッドを収集カップの上方に配置することを更に備える請求項１に記載の方法。
【請求項６】
前記収集カップは可動スライド上に配置されている請求項５に記載の方法。
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
熱源ユニット（１０）と、
利用ユニット内部管路（２９ａ〜２９ｃ）を有する利用ユニット（２０Ａ）と、
前記熱源ユニットと前記利用ユニット内部管路とを接続する液冷媒配管（３１）およびガス冷媒配管（３２）と、
ＨＦＯとＨＦＣとを主成分とし、前記熱源ユニット、前記利用ユニット、前記液冷媒配管および前記ガス冷媒配管を循環する冷媒と、
アルキル芳香族炭化水素と酸素含有炭化水素とを主成分とする冷凍機油と、
を備え、
前記酸素含有炭化水素は、エーテルおよびエステルの少なくとも一方を含み、
前記冷媒における前記ＨＦＯの重量混合比率が第１冷媒比率であり、
前記冷媒における前記ＨＦＣの重量混合比率が第２冷媒比率であり、
前記冷凍機油における前記アルキル芳香族炭化水素の混合比率が第１油比率であり、
前記冷凍機油における前記酸素含有炭化水素の混合比率が第２油比率であり、
前記第１冷媒比率が前記第２冷媒比率よりも大きい場合、前記第１油比率は前記第２油比率よりも大きく、前記第１冷媒比率が前記第２冷媒比率よりも小さい場合、前記第１油比率は前記第２油比率よりも小さい、冷凍装置（１００）。
【請求項２】
前記ＨＦＯがＨＦＯ１１２３であり、
前記ＨＦＣがＲ３２である、
請求項１に記載の冷凍装置。
【請求項３】
前記第１冷媒比率が前記第１油比率と等しく、
前記第２冷媒比率が前記第２油比率と等しい、
請求項１または請求項２に記載の冷凍装置。
【請求項４】
前記第１冷媒比率が４０％〜６０％であり、
前記第２冷媒比率が６０％〜４０％であり、
前記第１油比率が４０％〜６０％であり、
前記第２油比率が６０％〜４０％である、
請求項１から３のいずれか１つに記載の冷凍装置。
【請求項５】
前記液冷媒配管または前記ガス冷媒配管内には、前記冷媒の重合を抑制する重合抑制剤を有する、
請求項１から４のいずれか１つに記載の冷凍装置。
【請求項６】
前記液冷媒配管または前記ガス冷媒配管内には、耐酸化性向上剤、耐熱性向上剤、および金属不活性剤の少なくとも１つを有し、
前記耐酸化性向上剤および前記耐熱性向上剤は、
Ｎ，Ｎ’−ジフェニルフェニレンジアミン、
ｐ−オクチルジフェニルアミン、
ｐ，ｐ’−ジオクチルジフェニルアミン、
Ｎ−フェニル−１−ナフチルアミン、
Ｎ−フェニル−２−ナフチルアミン、
Ｎ−（ｐ−ドデシル）フェニル−２−ナフチルアミン、
ジ−１−ナフチルアミン、
ジ−２−ナフチルアミン、
Ｎ−アルキルフェノチアジン、
６−（ｔ−ブチル）フェノール、
２，６−ジ−（ｔ−ブチル）フェノール、
４−メチル−２，６−ジ−（ｔ−ブチル）フェノール、
４，４’−メチレンビス（２，６−ジ−ｔ−ブチルフェノール）、
のうちの少なくとも１つを含み、
前記金属不活性剤は、
イミダゾール、
ベンズイミダゾール、
２−メルカプトベンズチアゾール、
２，５−ジメルカプトチアジアゾール、
サリシリジン−プロピレンジアミン、
ピラゾール、
ベンゾトリアゾール、
トルトリアゾール、
２−メチルベンズイミダゾール、
３，５−ジメチルピラゾール、
メチレンビス−ベンゾトリアゾール、
有機酸またはそれらのエステル、
第１級、第２級または第３級の脂肪族アミン、
有機酸または無機酸のアミン塩、
複素環式窒素含有化合物、
アルキル酸ホスフェートのアミン塩またはそれらの誘導体、
のうちの少なくとも１つを含む、
請求項１から５のいずれか１つに記載の冷凍装置。
【請求項７】
前記液冷媒配管または前記ガス冷媒配管内には、酸化防止剤を有し、
前記酸化防止剤は、
ジチオリン酸亜鉛、
有機硫黄化合物、
２，６−ジ−ｔｅｒｔ−ブチル−４−メチルフェノール、
２，６−ジ−ｔｅｒｔ−ブチル−４−エチルフェノール、
２，２’−メチレンビス（４−メチル−６−ｔｅｒｔ−ブチルフェノール）、
フェニル−α−ナフチルアミン、
Ｎ，Ｎ’−ジ−フェニル−ｐ−フェニレンジアミン、
Ｎ，Ｎ’‐ジサリシリデン‐１，２‐ジアミノプロパン、
のうちの少なくとも１つを含む、
請求項１から６のいずれか１つに記載の冷凍装置。
【請求項８】
前記液冷媒配管または前記ガス冷媒配管内には、脱酸素剤を有し、
前記脱酸素剤は、
２−エチルヘキシルグリシジルエーテル、
フェニルグリシジルエーテル、
エポキシ化シクロヘキシルカルビノール、
ジ（アルキルフェニル）カルボジイミド、
β−ピネン、
のうちの少なくとも１つを含む、
請求項１から７のいずれか１つに記載の冷凍装置。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
断熱壁体で構成される冷蔵庫本体を備えてなる冷蔵庫において、
前記断熱壁体は、複数の真空断熱パネルを有し、
前記複数の真空断熱パネルの間に離間部が設けられており、
前記離間部を通って接続手段が前記機械室内に導入されており、
前記接続手段は、排水経路を有し、
前記排水経路は、鉛直方向に延びており、
前記離間部において、
一方の真空断熱パネルと他方の真空断熱パネルとの間に発泡断熱手段を設けるとともに、
前記排水経路の前後方向に前記一方の真空断熱パネルと前記他方の真空断熱パネルとを配置するように構成したことを特徴とする冷蔵庫。
【手続補正２】
【補正対象書類名】明細書
【補正対象項目名】０００６
【補正方法】変更
【補正の内容】
【０００６】
実施形態の冷蔵庫は、断熱壁体で構成される冷蔵庫本体を備えてなる冷蔵庫において、前記断熱壁体は、複数の真空断熱パネルを有し、前記複数の真空断熱パネルの間に離間部が設けられている。前記離間部を通って接続手段が前記機械室内に導入されており、前記接続手段は、排水経路を有し、前記排水経路は、鉛直方向に延びている。前記離間部において、一方の真空断熱パネルと他方の真空断熱パネルとの間に発泡断熱手段を設けるとともに、前記排水経路の前後方向に前記一方の真空断熱パネルと前記他方の真空断熱パネルとを配置するように構成した。
【手続補正３】
【補正対象書類名】明細書
【補正対象項目名】０００７
【補正方法】削除
【補正の内容】
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
断熱性能を有する冷蔵庫本体と、前記冷蔵庫本体内に設けた貯蔵室と、前記貯蔵室の開口部を開閉可能とする断熱扉とを備え、前記断熱扉は、内箱フレームと、縁枠と、透明前板と、前記内箱フレームと前記縁枠と前記透明前板との間の空間に設けた発泡断熱材とを備え、前記透明前板の前面は全周に亘って前記縁枠の透明前板支持片よりも前方に飛び出して配置し、前記透明前板の外周側面は全周に亘って前記縁枠の端面より内側に配置させたことを特徴とする冷蔵庫。
【請求項２】
前記透明前板の内面側に接着剤を介して貼り付けた樹脂フィルムを備えることを特徴とする請求項１に記載の冷蔵庫。
【請求項３】
前記樹脂フィルムに模様等の着色層を形成したことを特徴とする請求項２に記載の冷蔵庫。
【請求項４】
前記透明前板はガラス板であることを特徴とする請求項１から３のいずれか一項記載の冷蔵庫。
【手続補正２】
【補正対象書類名】明細書
【補正対象項目名】００１５
【補正方法】変更
【補正の内容】
【００１５】
本発明は上記目的を達成するため、本発明の冷蔵庫は、断熱性能を有する冷蔵庫本体と、前記冷蔵庫本体内に設けた貯蔵室と、前記貯蔵室の開口部を開閉可能とする断熱扉とを備え、前記断熱扉は、内箱フレームと、縁枠と、透明前板と、前記内箱フレームと前記縁枠と前記透明前板との間の空間に設けた発泡断熱材とを備え、前記透明前板の前面は全周に亘って前記縁枠の透明前板支持片よりも前方に飛び出して配置し、前記透明前板の外周側面は全周に亘って前記縁枠の端面より内側に配置させたものである。
【手続補正３】
【補正対象書類名】明細書
【補正対象項目名】００１６
【補正方法】変更
【補正の内容】
【００１６】
これにより、ガラス板の外周縁を縁枠の端面が保護することになり、また長期間に亘って透明前板の接着強度を維持保障することができ、信頼性の高いものとすることができるとともに、扉の意匠性および安全性を高めることができる。
【手続補正４】
【補正対象書類名】明細書
【補正対象項目名】００１９
【補正方法】変更
【補正の内容】
【００１９】
第１の発明は、断熱性能を有する冷蔵庫本体と、前記冷蔵庫本体内に設けた貯蔵室と、前記貯蔵室の開口部を開閉可能とする断熱扉とを備え、前記断熱扉は、内箱フレームと、縁枠と、透明前板と、前記内箱フレームと前記縁枠と前記透明前板との間の空間に設けた発泡断熱材とを備え、前記透明前板の前面は全周に亘って前記縁枠の透明前板支持片よりも前方に飛び出して配置し、前記透明前板の外周側面は全周に亘って前記縁枠の端面より内側に配置させたことにより、透明前板と発泡断熱材との接着力を長期間に亘って維持でき、かつ、意匠性を高め、更にその高い意匠性を長く保持できる扉付の冷蔵庫を提供することができる。また第２の発明は、前記透明前板の内面側に接着剤を介して貼り付けた樹脂フィルムを備えるものであり、第３の発明は前記樹脂フィルムに模様等の着色層を形成したものであり、また第４の発明は、前記透明前板はガラス板であり、これによりフィルムに対する接着強度を管理保障することができて、フィルムに対し剥がれることを確実に防止できるようになる。よって、扉の意匠性および安全性を高めることができる。
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
モバイル機器によって提供される支援を得て、固定機器の位置を決定する方法であって、
前記固定機器の近くに前記モバイル機器を置くことと、
前記固定機器の近くに前記モバイル機器を置いた後に前記モバイル機器のスピーカーによって起動音を提供することと、
前記固定機器のマイクロホンによって起動音を受信することと、
受信した前記起動音に応じて、前記固定機器によって、前記モバイル機器からの位置データを要求することと、
前記位置データの受信に応じて、前記固定機器によって、前記モバイル機器から位置データを受信することであって、前記位置データは前記モバイル機器の位置を示し、前記位置データは前記モバイル機器の送信機によって前記固定機器に送信される、受信することと、
前記固定機器によって、前記位置データを前記固定機器の位置として保存することと
を含む方法。
【請求項２】
前記起動音を受信する前に、前記固定機器の位置決定モードを起動すること
を更に含む、請求項１に記載の方法。
【請求項３】
前記起動音を受信する前に、前記固定機器と前記モバイル機器との間でハンドシェーキングを行うこと
を更に含む、請求項１又は２に記載の方法。
【請求項４】
更なる起動音を前記マイクロホンによって受信することと、
前記固定機器によって、前記起動音の音量レベルを前記更なる起動音の音量レベルと比較することと、
前記更なる起動音の音量レベルが前記起動音の音量レベルよりも高い場合に、
前記更なる起動音に応じて、前記固定機器によって、前記モバイル機器に宛てた更なる位置データの要求を送信することと、
前記固定機器によって、前記モバイル機器から更なる位置データを受信することと、
前記固定機器によって、前記位置データを前記更なる位置データで置き換えて、前記更なる位置データを保存すること
を更に含む、請求項１から３のいずれか一項に記載の方法。
【請求項５】
位置データが前記固定機器のメモリ、前記モバイル機器のメモリ、又はクラウドサービスによってアクセスが提供される外部サーバのメモリに保存される、請求項１から４のいずれか一項に記載の方法。
【請求項６】
本方法によって複数の固定機器の各位置が決定され、前記位置データが前記固定機器の共通メモリに保存される、請求項１から５のいずれか一項に記載の方法。
【請求項７】
保存された前記位置データに基づいて、前記複数の固定機器の前記位置を視覚化するように構成されたデジタルマップを提供すること
を更に含む、請求項６に記載の方法。
【請求項８】
モバイル機器によって、固定機器の位置の決定を支援する方法であって、
前記固定機器の近くに前記モバイル機器を置くことと、
前記固定機器の近くに前記モバイル機器を置いた後に前記モバイル機器によって起動音を出力することと、
前記固定機器のマイクロホンが前記起動音を受信したことに応じて、前記モバイル機器によって、前記固定機器からの位置データの要求を受信することと、
前記位置データの要求に応じて、前記モバイル機器によって、前記モバイル機器の位置を決定することと、
前記モバイル機器の送信機によって、前記モバイル機器の位置を示す位置データを前記固定機器に送信することと
を含む方法。
【請求項９】
処理能力を有するモバイル機器上で実行されると、請求項８に記載の方法を実行するプログラムが記録されている、非一過性コンピュータ可読記録媒体。
【請求項１０】
固定機器であって、
前記固定機器の近くに置かれたモバイル機器のスピーカーによって提供される起動音を受信するマイクロホンと、
受信した前記起動音に応じて、位置データの要求を前記モバイル機器へ送信する送信機と、
前記位置データの要求に応じて、前記モバイル機器から位置データを受信する受信機であって、前記位置データは前記モバイル機器の位置を示し、前記モバイル機器は前記固定機器によって受信されるように前記位置データを送信する、受信機と、
前記位置データを前記固定機器の位置として保存するメモリと
を備える固定機器。
【請求項１１】
前記固定機器が有線ネットワークに接続されている、請求項１０に記載の固定機器。
【請求項１２】
前記固定機器が、カメラ、ラウドスピーカ、ドアステーション、マイクロホン装置、又はエンコーダである、請求項１０又は１１に記載の固定機器。
【請求項１３】
モバイル機器と固定機器とを備えるシステムであって、
前記固定機器が、
前記固定機器の近くに置かれた前記モバイル機器のスピーカーによって提供される起動音を受信するマイクロホンと、
受信した前記起動音に応じて、位置データの要求を前記モバイル機器へ送信する送信機と、
前記位置データの要求に応じて、前記モバイル機器から位置データを受信する受信機であって、前記位置データは前記モバイル機器の位置を示し、前記モバイル機器は前記固定機器によって受信されるように前記位置データを送信する、受信機と、
前記位置データを前記固定機器の位置として保存するメモリと
を備え、
前記モバイル機器が、
起動音を出力し、
前記固定機器からの前記位置データの要求を受信し、
前記モバイル機器の位置を決定し、
前記位置データの要求に応じて、前記位置データを前記固定機器へ送信する、システム。
【手続補正書】
【提出日】平成30年4月5日(2018.4.5)
【手続補正１】
【補正対象書類名】明細書
【補正対象項目名】０００２
【補正方法】変更
【補正の内容】
【０００２】
メカニカルキーを用いること無く、車両ドアの施解錠を可能にするパッシブエントリーシステムが実用化されている。パッシブエントリーシステムは、使用者が所持する携帯機、使用者がドアハンドルを握ったことを検知する接触センサ、使用者がドアハンドルを握った際、携帯機の位置を検出し、車両ドアの施解錠処理を実行する車載機等によって構成される（例えば、特許文献１）。
使用者がドアハンドルを握ったことを接触センサが検出した場合、車載機は車両に設けられた複数のＬＦ送信アンテナから、携帯機の位置を検出するための検出用信号を送信する。携帯機は各ＬＦ送信アンテナから送信された検出用信号を受信し、受信信号強度を測定する。そして、携帯機は測定して得た受信信号強度データを車載機へ送信する。受信信号強度データは、受信信号強度を所定の分解能で量子化したデジタルデータである。車載機は、携帯機から送信された受信信号強度データを受信し、携帯機の位置を算出する。携帯機が車外に位置している場合、車載機は車両ドアの施解錠処理を実行する。
一方、エンジン停止後に携帯機の位置検出及び追跡を行い、携帯機を所持した使用者が車両から所定距離以上離れた場合に車両ドアを自動的に施錠するウォークアウェイクロージング（WAC: Walk Away Closing）システムがある。
【手続補正２】
【補正対象書類名】明細書
【補正対象項目名】００６１
【補正方法】変更
【補正の内容】
【００６１】
このように構成された車両用通信システム及び携帯機３によれば、携帯機３が車両近傍及び車両遠方のいずれに位置していても、当該携帯機３の位置を所要の精度で検出することができる。